(57)【要約】【課題】場面や用途に応じて吸込具を付け替える必要がなく、使い勝手のよい電気掃除機の吸込具を提供する。【解決手段】第１の開口２１ｓを有する第１の吸口体２０と、第２の開口３１ｓを有する第２の吸口体３０と、を有し、第２の吸口体３０は、第１の吸口体２０を収納し、第２の開口３１ｓに刷毛体３３を備え、第１の吸口体２０は、第１の開口２１ｓが刷毛体３３の先端３３ａよりも先になる第１の位置と、第１の開口２１ｓが刷毛体３３の先端３３ａよりも後になる第２の位置との間で、第２の吸口体３０に対して摺動可能である。【選択図】図９
2018164486.tif 000002
【特許請求の範囲】
【請求項１】
第１の開口を有する第１の吸口体と、第２の開口を有する第２の吸口体と、を有し、
前記第２の吸口体は、前記第１の吸口体を収納し、前記第２の開口に刷毛を備え、
前記第１の吸口体は、前記第１の開口が前記刷毛の先端よりも先になる第１の位置と、前記第１の開口が前記刷毛の先端よりも後になる第２の位置との間で、前記第２の吸口体に対して摺動可能であることを特徴とする電気掃除機の吸込具。
【請求項２】
前記第２の位置において、前記第１の開口は、前記刷毛の先端よりも後側かつ前記第２の開口よりも前側に位置していることを特徴とする請求項１に記載の電気掃除機の吸込具。
【請求項３】
前記第１の吸口体は、前記第２の吸口体の外側に、当該第１の吸口体の移動に伴って動作する操作部を備えることを特徴とする請求項１または請求項２に記載の電気掃除機の吸込具。
【請求項４】
前記第１の吸口体を前記第１の位置でロックするロック機構を備えることを特徴とする請求項１から請求項３のいずれか１項に記載の電気掃除機の吸込具。
【請求項５】
前記第１の吸口体を前記第２の位置から前記第１の位置に付勢する付勢部材を備えることを特徴とする請求項１から請求項４のいずれか１項に記載の電気掃除機の吸込具。
【請求項６】
前記第１の吸口体が前記第２の位置になったときに、前記第１の開口と前記第２の開口との間に形成された隙間を閉じるキャップ部材を備えることを特徴とする請求項１から請求項５のいずれか１項に記載の電気掃除機の吸込具。
【請求項７】
前記第２の吸口体は、前記第１の吸口体が前記第１の位置と前記第２の位置との間で移動するときに当該第１の吸口体と摺動するリブを備えることを特徴とする請求項１から請求項６のいずれか１項に記載の電気掃除機の吸込具。
【発明の詳細な説明】
【技術分野】
【０００１】
本発明は、電気掃除機の吸込具に関する。
【背景技術】
【０００２】
特許文献１には、刷毛を備えた植毛台が取り付けられた隙間ノズルを有する電気掃除機の吸込具が記載されている。
【先行技術文献】
【特許文献】
【０００３】
【特許文献１】特開２００６−１８１２４０号公報
【発明の概要】
【発明が解決しようとする課題】
【０００４】
しかしながら、特許文献１に記載の電気掃除機の吸込具では、隙間ノズルを使用するときには、植毛台を隙間ノズルの先端に移動させて固定している。このため、植毛台を移動させる前と後で刷毛を除いたノズルの先端位置は変わらない。
【０００５】
本発明は、場面や用途に応じて吸込具を付け替える必要がなく、使い勝手のよい電気掃除機の吸込具を提供することを目的とする。
【課題を解決するための手段】
【０００６】
本発明は、第１の開口を有する第１の吸口体と、第２の開口を有する第２の吸口体と、を有し、前記第２の吸口体は、前記第１の吸口体を収納し、前記第２の開口に刷毛を備え、前記第１の吸口体は、前記第１の開口が前記刷毛の先端よりも先になる第１の位置と、前記第１の開口が前記刷毛の先端よりも後になる第２の位置との間で、前記第２の吸口体に対して摺動可能であることを特徴とする。
【発明の効果】
【０００７】
本発明によれば、場面や用途に応じて吸込具を付け替える必要がなく、使い勝手のよい電気掃除機の吸込具を提供できる。
【図面の簡単な説明】
【０００８】
【図１】電気掃除機の収納状態を示し、（ａ）はスティック状態、（ｂ）はハンディ状態である。
【図２】電気掃除機の分解斜視図である。
【図３】電気掃除機の斜視図である。
【図４】電気掃除機の縦断面図である。
【図５】電気掃除機に取り付けられる第１実施形態の吸込具を示す分解斜視図である。
【図６】第１の吸口体の分解斜視図である。
【図７】第１実施形態の吸込具の斜視図である。
【図８】第１実施形態の吸込具の側面図である。
【図９】第１実施形態の吸込具の縦断面図である。
【図１０】第１実施形態の吸込具の縦断面斜視図である。
【図１１】第１実施形態の吸込具を示し、（ａ）は正面図、（ｂ）は図８のＢ−Ｂ線断面図、（ｃ）は図８のＣ−Ｃ線断面図、（ｄ）は図８のＤ−Ｄ線断面図である。
【図１２】図９のＡ部拡大図である。
【図１３】第１の吸口体が第１の位置であるときの縦断面図である。
【図１４】電気掃除機に吸込具を取り付けた状態の側面図を示し、（ａ）は第１の吸口体が第２の位置、（ｂ）は第１の吸口体が第１の位置である。
【図１５】電気掃除機に延長ホースを介して吸込具を取り付けた状態を示す側面図である。
【図１６】第２実施形態の吸込具の分解斜視図である。
【図１７】第２実施形態の吸込具を示し、（ａ）は斜視図、（ｂ）は平面図、（ｃ）は側面図である。
【図１８】（ａ）は図１７（ｂ）のＥ−Ｅ線断面図、（ｂ）は図１７（ｃ）のＦ−Ｆ線断面図である。
【発明を実施するための形態】
【０００９】
以下、本発明を実施するための形態（以下「実施形態」という）について、適宜図面を参照しながら詳細に説明する。まず、本実施形態の吸込具１Ａ（図５〜図１５参照），１Ｂ（図１６〜図１８参照）が取り付けられる電気掃除機について図１ないし図４を参照して説明する。
【００１０】
図１は、電気掃除機の収納状態を示し、（ａ）はスティック状態、（ｂ）はハンディ状態である。
図１（ａ）は、電気掃除機１００の充電台７０に、電気掃除機１００をスティック状態で立てて充電している状態である。電気掃除機１００の先端には延長管３００が接続され、延長管３００の先には標準吸口４００が接続されている。なお、標準吸口４００は、モータによってブラシが回転するパワーブラシ式のものである。
【００１１】
また、図１（ｂ）は、電気掃除機１００の充電台７０に、電気掃除機１００をハンディ状態で立てて充電した状態である。この場合には、電気掃除機１００の先端から延長管３００を取り外し、電気掃除機１００の先に標準吸口４００を直接取り付ける。なお、図１（ｂ）では、電気掃除機１００に標準吸口４００を直接に取り付けた使用状態を図示しているが、電気掃除機１００に標準吸口４００を取り付けない状態で使用することもできる。
【００１２】
また、図１（ｂ）の充電台７０では、延長部材８０が向きを変えて取り付けられることで、電気掃除機１００をハンディ状態で充電することができる。
【００１３】
図２は、電気掃除機の分解斜視図である。なお、図２において示す方向は、電気掃除機１００の向きを示している。
図２に示すように、電気掃除機１００は、掃除機本体１、ダストケース２（集塵装置）および蓄電池３を備えて構成されている。
【００１４】
掃除機本体１は、本体部１０、モータケース部１１、ハンドル部１２を備えて構成されている。
【００１５】
本体部１０は、延長管３００（図１（ａ）参照）や標準吸口４００（図１（ａ）参照）が接続される接続口１０ａが形成されている。また、本体部１０には、ダストケース２が着脱自在に取り付けられるとともに、接続口１０ａから吸い込まれた塵挨を含む空気をダストケース２に送り込む導入管１４を備えている。
【００１６】
モータケース部１１には、電動送風機４０（図４参照）と本体基板５０（図４参照）が内包されている。また、モータケース部１１の前面には、ダストケース２で集塵された後の清浄な空気が吸い込まれる円形の吸込口１１ａが形成されている。また、モータケース部１１の前面には、吸込口１１ａより下部に、充電台７０（図１（ａ），（ｂ）参照）と接続される本体端子部１７が設けられている。
【００１７】
ハンドル部１２は、本体部１０の後方に設けられ、略Ｌ字状に形成された把持部１２ａを有している。把持部１２ａは、前後方向に直線状に延びる第１把持部１２ａ１と、略上下方向に直線状に延びる第２把持部１２ａ２と、を有している。第１把持部１２ａ１は、第２把持部１２ａ２よりも上部に配置されている。第２把持部１２ａ２は、上下方向に対して上部が前方に向くように傾斜している。また、第１把持部１２ａ１と第２把持部１２ａ２は略棒状かつ連続して形成されている。このように、第１把持部１２ａ１と第２把持部１２ａ２とをそれぞれ直線状に構成することで、使用者が持ち手の位置を認識し易くなる。
【００１８】
また、ハンドル部１２には、蓄電池３（電池ケース）をロックするための蓄電池ロック部材１３が設けられている。この蓄電池ロック部材１３は、略Ｌ字状に形成された板状であり、一端がハンドル部１２に回動自在に連結されている。
【００１９】
また、ハンドル部１２の第１把持部１２ａ１の上面には、操作ボタン１２ｂが設けられている。操作ボタン１２ｂは、例えば、「強」、「標準」、「切」の３つのボタンで構成されている。
【００２０】
本体部１０の前端には、延長管３００（図１（ａ）参照）や標準吸口４００（図１(ｂ)参照）を取り外す際に操作される解除ボタン１８が設けられている。この解除ボタン１８を押下操作することで延長管３００、標準吸口４００の取り外しが可能となる。
【００２１】
また、本体部１０の前端には、回転式のブラシ９０が取り付けられている。このブラシ９０は、接続口１０ａの外面に凹凸嵌合して固定される略円弧形状の固定ベース９０ａと、この固定ベース９０ａに回動自在に連結される回転部９０ｂと、この回転部９０ｂに植設される刷毛部９０ｃとを有して構成されている。刷毛部９０ｃは、収納時には後ろ向きで、使用時には前向きに回動するように構成されている。
【００２２】
ダストケース２は、サイクロン方式のものであり、導入管１４から吸込んだ塵埃を含む空気を、塵埃と空気とに分離し、塵埃を集める機能を有する。また、ダストケース２は、モータケース部１１の前方に軸方向を前後方向にして配置され、略円柱形状の収容部２ａを有している。また、ダストケース２の上面（側面）には、導入管１４と繋がる略矩形状の流入口２ｂが形成されている。この流入口２ｂに流入した塵挨を含む空気は、ダストケース２内で塵挨と空気とに分離された後、塵埃が分離された空気がダストケース２の後部（背面）から排出される。
【００２３】
また、ダストケース２の前面には、ダストケース２内に溜まった塵埃を廃棄する際に開閉する蓋２ｃがヒンジ部２ｄを介して回動自在に支持されている。また、蓋２ｃの上部には、蓋２ｃのロックを解除するための蓋ロック機構２ｅが設けられている。なお、ダストケース２の内部の機構については、特開２０１６−１３７１６５号公報に基づいて構成することができる。
【００２４】
図３は、電気掃除機の斜視図である。
図３に示すように、電気掃除機１００は、ダストケース２が本体部１０の下方かつモータケース部１１の前方に取り付けられる。この場合、ダストケース２を掃除機本体１に装着すると、蓋ロック機構２ｅが掃除機本体１側に隠れる。これは、蓋ロック機構２ｅを反対側（外側）に設けた場合、掃除中に蓋ロック機構２ｅが解除される恐れがあるが、蓋ロック機構２ｅが掃除機本体１側に隠れるようにすることで、誤動作を防止することができるからである。例えば、スティック状態でソファやベッドの下を掃除するときなど、掃除機本体１を床面に対して水平に近づける場合がある。このとき、蓋ロック機構２ｅを表側に設けた場合、床面と接触して蓋ロック機構２ｅが解除される可能性がある。蓋ロック機構２ｅとヒンジ部２ｄの位置はこの限りでなく、掃除機本体１に対し左右に設けても構わない。
【００２５】
また、ダストケース２には、お手入れブラシ２ｓが着脱自在に設けられている。このお手入れブラシ２ｓは、ダストケース２が掃除機本体１に装着されたときに外部から見え難い位置に配置されている。このため、お手入れブラシ２ｓと掃除機本体１とが運転中に外れ難く、また、お手入れブラシ２ｓを電気掃除機１００とは別の場所に保管しておく必要もない。
【００２６】
図４は、電気掃除機の縦断面図である。
図４に示すように、本体部１０のモータケース部１１には、電動送風機４０が収容されている。モータケース部１１内には、電動送風機４０の下方に、掃除機本体１を制御する本体基板５０（制御基板）が収容されている。
【００２７】
電動送風機４０は、回転駆動軸４０ａが前後方向を向くように横置きに配置されている。また、電動送風機４０から排出された空気は、電動送風機４０の下方に配置された本体基板５０に流れ、本体基板５０を冷却するようになっている。
【００２８】
本体基板５０は、上下に分割して２段に配置され、対向する面に部品が実装されている。電動送風機４０から排出された空気のほとんどは、各本体基板５０の対向配置された部品（発熱部品）を冷却するように流れる。
【００２９】
また、電動送風機４０と本体基板５０は、上下方向に重なるように配置されている。このため、前後方向の寸法を短くできる。また、電動送風機４０および本体基板５０は、ハンドル部１２の第１把持部１２ａ１の下方に位置している。これにより、使用者が把持部１２ａ１を握って操作する場合、電気掃除機１００の重心が第１把持部１２ａ１の下方近傍になるので、電気掃除機１００の先を上向きで使用する場合、電気掃除機１００を安定して保持できる。
【００３０】
また、第１把持部１２ａ１とモータケース部１１の上面１１ｃとの間には、手を挿入するための幅寸法Ｈ１の隙間１２ｃが形成されている。また第２把持部１２ａ２とモータケース部１１の背面１１ｄとの間には、幅寸法Ｈ１よりも広い幅寸法Ｈ２の隙間１２ｄが形成されている。このように、第１把持部１２ａ１を把持して掃除する場合には、腕を伸ばした状態で保持できるので、第１把持部１２ａ１を強く握ることなく、電気掃除機１００を前後に動かすことができる。また、第２把持部１２ａ２を把持して掃除する場合には、隙間１２ｄに手（指）を深く挿入して強く握る必要があるので、幅寸法Ｈ２を幅寸法Ｈ１よりも広くすることで、第２把持部１２ａ２を安定して把持することができる。
【００３１】
また、第１把持部１２ａ１の厚みＴ１は薄く形成され、第２把持部１２ａ２の厚みＴ２は厚みＴ１よりも厚く形成されている。つまり、第１把持部１２ａ１は細く、第２把持部１２ａ２は太く形成されている。このように、第２把持部１２ａ２を握って掃除する場合には、第２把持部１２ａ２の厚みＴ２を厚くすることで、深く握り易くなるとともに、第２把持部１２ａ２の強度を高くすることができる。
【００３２】
蓄電池３は、例えば、エネルギ効率の高いリチウムイオン電池で構成することができる。また、蓄電池３は、ハンドル部１２の第２把持部１２ａ２の下方に配置されている。このように、蓄電池３を電気掃除機１００の後端に設けることで、ハンドル部１２の重心が第２把持部１２ａ２に近くなるので、電気掃除機１００の先を上向きで使用する場合、操作感を軽くすることができる。
【００３３】
蓄電池ロック部材１３は、自由端側に蓄電池３とロックされる爪部１３ａが形成されている。また、蓄電池ロック部材１３は、蓄電池３の背面を上端から下端まで囲むようにして配置され、蓄電池３の後端下面において爪部１３ａと蓄電池３の下面とがロックされるように構成されている。
【００３４】
このように、蓄電池３を着脱式にすることによって、蓄電池３が着脱不可のものに比べて、蓄電池３の交換がし易くなる。また、予備の蓄電池３と、予備の蓄電池３を充電可能な充電ボックスをオプションで用意することで、電気掃除機１００の本体側の蓄電池が消耗した場合に予備の蓄電池３に直ちに交換することで、掃除時間を延長することが可能になる。このように構成することで、例えば、店舗などの広い床面を掃除する場合に有効である。
【００３５】
ダストケース２内には、収容部２ａの軸方向の後端にフィルタ５が収容されている。このフィルタ５は、プリーツ状に折って構成されたものであり、フィルタ面積を大きくできるとともに、フィルタ５による圧力損失を低減することができる。
【００３６】
また、フィルタ５は、例えば高密度のＨＥＰＡフィルタ（High Efficiency Particulate Air Filter）で構成されている。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。
【００３７】
（第１実施形態）
図５は、電気掃除機に取り付けられる第１実施形態の吸込具の分解斜視図である。
図５に示すように、第１実施形態の吸込具１Ａは、第１の吸口体２０と、第２の吸口体３０と、ロック機構１１０と、を備えて構成されている。
【００３８】
第１の吸口体２０は、前後方向に細長い管部２１と、この管部２１の先端（前端）に取り付けられるキャップ部材２２と、を有している。管部２１は、軸方向（前後方向）中央よりも前側に上下方向に細長く形成された断面視略矩形状の流路を有する前側管部２１ａと、軸方向（前後方向）中央よりも後側に断面視略半円状の後側管部２１ｂと、が前後方向に連続して形成されている。
【００３９】
また、第１の吸口体２０（前側管部２１ａ）の上部には、略四角形状で扁平な台座部２１ｃが一体に形成されている。この台座部２１ｃの上面には凹部２１ｃ１が形成されている。
【００４０】
第２の吸口体３０は、前後方向に細長い管部３１を有している。この管部３１は、第１の吸口体２０を内部に収納できる径を有している。管部３１は、軸方向（前後方向）の前側にロック機構１１０を設ける前側管部３１ａと、電気掃除機１００に接続される後側管部３１ｂと、を有している。
【００４１】
また、第２の吸口体３０は、前側に第２の開口３１ｓが形成されている。第２の開口３１ｓの先端面には、刷毛体３３（刷毛）が植毛されている。刷毛体３３は、毛が束ねられたものが、周方向に複数並んで配置されたものである。なお、刷毛体３３は、天然繊維であってもよく、化学繊維であってもよい。
【００４２】
前側管部３１ａの上部には、ロック機構１１０が配置される収納部３４が形成されている。収納部３４は、第２の開口３１ｓから軸方向に沿って後方に細長く形成され、左右において起立する側壁３４ａ，３４ｂと、後端において起立する後壁３４ｃと、を有している。後壁３４ｃの後方には、ネジボス３４ｅが形成されている。
【００４３】
収納部３４の底面には、軸方向（前後方向）に延びる長孔３４ｄが形成されている。長孔３４ｄは、後壁３４ｃの近傍から前方に向けて延びている。また、長孔３４ｄは、前後方向の途中において前後方向に直交する方向に突出する嵌合孔３４ｄ１が形成されている。また、収納部３４の底面には、嵌合孔３４ｄ１より前側に、嵌合孔３４ｄ２が形成されている。
【００４４】
第２の吸口体３０は、収納部３４を覆う略半円筒状のカバー部材３５を有している。カバー部材３５の上面には、軸方向（前後方向）に直線状に延びる長孔３５ａが形成されている。また、カバー部材３５の上面には、長孔３５ａの後方にネジ３５ｃが挿通されるネジ挿通孔３５ｂが形成されている。
【００４５】
第２の吸口体３０は、前側管部３１ａの左右方向の側面に、カバー部材３５を固定する固定部３１ｃ、３１ｄを有している。
【００４６】
ロック機構１１０は、スライダ４１と、連結部材４２と、コイルバネ４４と、ネジ４５と、第１の吸口体２０に設けられる凹部２１ｃ１と、第２の吸口体３０に設けられる嵌合孔３４ｄ２と、によって構成されている。
【００４７】
スライダ４１は、前記した長孔３４ｄ内を摺動する凸部４１ａと、上方に突出する一対の軸受部４１ｂ，４１ｂが形成されている。各軸受部４１ｂは、略矩形の板形状であり、左右方向（軸方向に直交する方向）に貫通する軸孔４１ｂ１が形成されている。
【００４８】
連結部材４２は、スライダ４１と操作ボタン４３とを連結する部材であり、軸部４２ｂが形成された基部４２ａと、操作ボタン４３を回動自在に連結する連結板４２ｃと、二又形状の嵌合突起４２ｄと、を有している。
【００４９】
基部４２ａは、前記軸受部４１ｂ，４１ｂ間に配置され、かつ、軸部４２ｂを前記軸孔４１ｂ１に挿入可能な幅で形成されている。
【００５０】
連結板４２ｃは、左右方向の側面視において略円弧状に形成され、上端の左右側面に軸突起４２ｃ１、４２ｃ１が形成されている。
【００５１】
嵌合突起４２ｄは、左右方向（軸方向に直交する方向）に離間して突起部４２ｄ１，４２ｄ１が形成されている。
【００５２】
操作ボタン４３は、山型に形成され、後側に前方に向けて上り傾斜となる操作面４３ａと、前側に前方に向けて下り傾斜となる操作面４３ｂと、を有している。
【００５３】
また、吸込具１Ａは、第２の吸口体３０から第１の吸口体２０を突出させる方向に付勢するコイルバネ５１（付勢部材）を備えている。
【００５４】
また、吸込具１Ａは、空気の吸込量を調整するサクションバルブを調整するための調節部材５２を備えている。調節部材５２は、一定の幅で略Ｃ字状に形成され、前側管部３１ａに形成された調節孔３１ｅを覆うように構成されている。また、調節部材５２は、周方向の途中に矩形状の開口５２ａが形成され、外周面に滑り止め用のリブ５２ｂが複数形成されている。
【００５５】
図６は、第１の吸口体の分解斜視図である。
図６に示すように、前側管部２１ａの先端には、開口２１ａ１が形成されている。開口２１ａ１は、略矩形状となるように形成されている。また、開口２１ａ１には、基部側よりも薄肉に形成された環状部２０ｂが突出して形成されている。また、後側管部２１ｂは、下面側が円弧形状となるように形成されている。
【００５６】
キャップ部材２２は、開口２１ａ１に沿った環状に形成され、前側管部２１ａと重なる接続部２２ａと、開口２１ａ１から前方に突出する突出部２２ｂと、を有している。キャップ部材２２の先端には、第１の開口２１ｓが形成されている。また、キャップ部材２２は、ゴムなどの弾性部材で形成されている。このようにキャップ部材２２を弾性部材で構成することで、第１の吸口体２０で掃除する際に、床面などを傷付けないようになっている。
【００５７】
図７は、第１実施形態の吸込具の斜視図である。
図７に示すように、吸込具１Ａは、第１の吸口体２０が第２の吸口体３０内に収納された第２の状態である。また、操作ボタン４３は、第２の吸口体３０（カバー部材３５）から外側に突出し、長孔３５ａに沿ってスライド可能に構成されている。
【００５８】
また、吸込具１Ａは、操作ボタン４３の後方にネジ３５ｃおよび調節部材５２が位置している。調節部材５２は、一部が円弧状に露出している。
【００５９】
図８は、第１実施形態の吸込具の側面図である。
図８に示すように、吸込具１Ａは、第１の吸口体２０が第２の吸口体３０に収納された状態（第１の位置）において、第１の吸口体２０の先端（前端）ｔ１が、刷毛体３３の先端３３ａよりも後側に位置している。また、第１の吸口体２０の先端ｔ１は、前側管部３１ａの第２の開口３１ｓよりも前方（先）に位置している。
【００６０】
また、第２の開口３１ｓは、上端から下端に向けて後退する傾斜面３１ｂ１を有している。これに伴い、傾斜面３１ｂ１に形成される刷毛体３３の先端３３ａも、上端から下端に向けて後退するように傾斜して形成されている。
【００６１】
図９は、第１実施形態の吸込具の縦断面図である。
図９に示すように、第１の吸口体２０が第２の吸口体３０に収納された状態（第２の位置）では、第１の吸口体２０の先端ｔ１（第１の開口２１ｓ）が第２の吸口体３０の刷毛体３３の先端３３ａ（図９のラインＥ１参照）よりも後側に位置している。また、第１の開口２１ｓは、第２の開口３１ｓよりも前側に位置している。
【００６２】
コイルバネ４４は、一端（下端）がスライダ４１に形成されたバネ保持突起４１ｃに保持され、他端（上端）が連結部材４２の基部４２ａの下面に形成されたバネ保持突起４２ｅに保持されている。このコイルバネ４４の付勢力によって、連結部材４２を上方に付勢している。これにより、操作ボタン４３の操作面４３ａがカバー部材３５から浮き上がった状態になる。
【００６３】
また、コイルバネ５１は、圧縮された状態で、一端（後端）が第２の吸口体３０に形成された凹部３１ｉに挿入されて保持され、他端（前端）が第１の吸口体２０に形成された保持突起２１ｄに保持されている。これにより、第２の吸口体３０から第１の吸口体２０を前方に突出させる付勢力が作用している。
【００６４】
また、第２の吸口体３０の後側管部３１ｂの内壁面には、後側管部２１ｂに向けて延びるリブ３１ｈが形成されている。このリブ３１ｈは、後側管部２１ｂの上面２１ｂ１と摺動するように構成されている。また、後側管部２１ｂの下面２１ｂ２は、後側管部３１ｂの内壁面３１ｂ２と摺動するように構成されている。これにより、第１の吸口体２０と第２の吸口体３０との気密が確保されるようになっている。また、後側管部２１ｂの周囲の一部をリブ３１ｈと摺動させることにより、第１の吸口体２０と第２の吸口体３０との間における摺動抵抗を低減できる。
【００６５】
また、第１の吸口体２０と第２の吸口体３０の第２の開口３１ｓとの間には、閉塞部材３１ｆが取り付けられている。
【００６６】
また、第１の吸口体２０が第２の吸口体３０に収納された状態（第２の位置）では、操作ボタン４３が最も後側に位置し、コイルバネ４４の付勢力によって、連結部材４２の連結板４２ｃが押し上げられ、操作ボタン４３の操作面４３ａがカバー部材３５の表面から上方に押し上げられた状態になる。
【００６７】
図１０は、第１実施形態の吸込具の縦断面斜視図である。
図１０に示すように、第１の吸口体２０が第２の吸口体３０に収納された状態（第２の位置）では、連結部材４２の突起部４２ｄ１が嵌合孔３４ｄ１を通って、第１の吸口体２０の凹部２１ｃ１に挿入される。これにより、第１の吸口体２０の動作が規制（ロック）される。また、この第２の位置では、コイルバネ５１が圧縮された状態で、第１の吸口体２０と第２の吸口体３０との間に配置されている。
【００６８】
図１１は、第１実施形態の吸込具を示し、（ａ）は正面図、（ｂ）は図１０のＢ−Ｂ線断面図、（ｃ）は図１０のＣ−Ｃ線断面図、（ｄ）は図１０のＤ−Ｄ線断面図である。なお、図１１は、第１の吸口体２０が第２の吸口体３０に収納された状態である。
図１１（ａ）に示すように、第１の吸口体２０と第２の吸口体３０の間は、第１の吸口体２０の周囲を囲むような環状の閉塞部材３１ｆによって閉じられている。
【００６９】
図１１（ｂ）に示すように、スライダ４１の凸部４１ａが長孔３４ｄに挿入された状態で、長孔３４ｄ内を前後方向にスライドするように構成されている。また、前側管部３１ａの左右側面にはリブ３１ｇ，３１ｇが側方に突出して形成されている。このリブ３１ｇ，３１ｇは、前後方向に延びている。そして、このリブ３１ｇ，３１ｇの上面に、カバー部材３５が当接している。
【００７０】
図１１（ｃ）に示すように、連結部材４２の軸部４２ｂ，４２ｂがスライダ４１の軸受部４１ｂ、４１ｂに回動可能に支持されている。また、連結部材４２は、コイルバネ４４を介してスライダ４１に弾性支持されている。
【００７１】
カバー部材３５の内壁面には、下方に向けて、係止爪３５ｄ、３５ｄが形成されている。係止爪３５ｄは、固定部３１ｃに係止されることで、カバー部材３５が管部３１（前側管部３１ａ）に固定される。
【００７２】
操作ボタン４３の操作面４３ａ（図５参照）を押し下げることで、軸部４２ｂ（図５参照）を支点として回動し、突起部４２ｄ１（図５参照）が凹部２１ｃ１から抜け出る。これにより、操作ボタン４３を前方に移動させることが可能になり、第１の吸口体２０を前方にスライドさせることができる。
【００７３】
図１１（ｄ）に示すように、カバー部材３５は、ネジ３５ｃがネジ挿通孔３５ｂに挿通され、ネジボス３４ｅに螺合されることで、第２の吸口体３０に固定される。
【００７４】
また、調節部材５２は、周方向に移動させることで、空気の取り込み量を一定に保つことができる。すなわち、図１４（ａ）および（ｂ）に示すように、吸込具１Ａを電気掃除機１００に直接に取り付けた場合には、空気の取り込み量が少なくなるようにし、図１５に示すように、吸込具１Ａを延長ホース６０を介して電気掃除機１００に取り付けた場合には、空気の取り込み量が前記した場合よりも多くなるようにする。
【００７５】
図１２は、図９のＡ部拡大図である。
図１２に示すように、第１の吸口体２０は、前側管部２１ａの先端の開口２１ａ１に、キャップ部材２２が取り付けられている。キャップ部材２２は、前側管部２１ａと接続される接続部２２ａと、前側管部２１ａから前方に突出する突出部２２ｂと、を有している。接続部２２ａには、環状部２０ｂが圧入されることで、キャップ部材２２が前側管部２１ａに固定される。
【００７６】
また、キャップ部材２２の接続部２２ａは、前側管部２１ａの外周面に沿って後方に延びる延出部２２ａ１を有している。第１の吸口体２０を第２の吸口体３０に収納したときに、前側管部２１ａ（第１の吸口体２０）と閉塞部材３１ｆとの間に形成されている隙間Ｓ１を塞ぐことができるように構成されている。なお、キャップ部材２２の形状は、隙間Ｓ１を塞ぐことができる形状であれば、本実施形態に限定されるものではなく、各種の形状を採用することができる。
【００７７】
図１３は、第１の吸口体が第１の位置であるときの断面図である。
図１３に示すように、第１の吸口体２０は、図９に示す第２の位置において、操作ボタン４３の操作面４３ａを押し下げることで、軸部４２ｂを支点として連結部材４２が回動する。これにより、突起部４２ｄ１が凹部２１ｃ１および嵌合孔３４ｄ１から抜け出ることでロックが解除される。また、コイルバネ５１の弾性復帰力によって、第１の吸口体２０が第２の吸口体３０から突出する方向（前方）に付勢される。このとき、突起部４２ｄ１は、長孔３４ｄの左右両脇の平面３４ｆ（図５参照）の表面を前方に向けてスライドする。そして、突起部４２ｄ１は、平面３４ｆの前方に形成された嵌合孔３４ｄ２に嵌合するとともに、凹部２１ｃ１に挿入される。これにより、第１の吸口体２０が第１の位置（飛び出し位置）でロックされる。このように、第１の吸口体２０を第１の位置で固定することで、第１の吸口体２０での清掃時に第２の吸口体３０内に引っ込むといった不都合を防止できる。
【００７８】
また、第１の吸口体２０を第１の位置から第２の位置に移動させる場合には、操作ボタン４３の操作面４３ａを押し下げることで、突起部４２ｄ１が凹部２１ｃ１および嵌合孔３４ｄ２から抜け出ることで、ロックが解除される。そして、コイルバネ５１の弾性反発力を受けながら操作ボタン４３を後方にスライドさせることで、突起部４２ｄ１が平面３４ｆ（図５参照）をスライドする。そして、操作ボタン４３をさらに後方にスライドさせることで、突起部４２ｄ１が嵌合孔４２ｄ１を貫通して凹部２１ｃ１内に挿入され、ロックされる。
【００７９】
第１の吸口体２０が第１の位置の場合には、第１の吸口体２０の先端ｔ１が、第２の吸口体３０の刷毛体３３の先端３３ａ（ラインＥ１参照）よりも前方に突出している。この場合、後側管部２１ｂの後端は、リブ３１ｈよりも後方に位置しているので、第１の吸口体２０と第２の吸口体３０との間における気密が確保される。これにより、第１の吸口体２０の第１の開口２１ｓから塵埃を吸引するための吸引力を確保することができる。
【００８０】
図１４は、電気掃除機に吸込具を取り付けた状態の側面図を示し、（ａ）は第１の吸口体が第２の位置、（ｂ）は第１の吸口体が第１の位置である。図１５は、電気掃除機に延長ホースを介して吸込具を取り付けた状態を示す側面図である。
第１実施形態の吸込具１Ａは、図１４（ａ）に示すように、通常、刷毛体３３で清掃面を掃除する。そして、その清掃途中において、前記清掃面よりも先のさらに狭い清掃面を清掃する際に、図１４（ｂ）に示すように、第１の吸口体２０を第２の吸口体３０よりも前方へ突出させる。これにより、刷毛体３３では届かなかったゴミを取り除くことができる。
【００８１】
また、図１５に示すように、第１実施形態の吸込具１Ａは、延長ホース６０を介して電気掃除機１００と接続されている。このように、延長ホース６０（延長管）を接続することにより、吸込具１Ａの向きを変えることが容易になり、いろいろな向きの清掃面の掃除に迅速に対応することができる。
【００８２】
このように構成された吸込具１Ａでは、通常のハンディ形態による掃除において、第１の吸口体２０を第２の吸口体３０に内包する状態（第２の位置）とする。そして、第２の吸口体３０の先端側の刷毛体３３と第２の開口３１ｓから塵埃を吸引して、机やイス、階段上などの掃除をする。なお、刷毛体３３や第２の開口３１ｓに吸引された塵埃は、第１の吸口体２０の第１の開口２１ｓから吸引される。
【００８３】
一方、家具やソファ下などの狭いすき間、サッシの溝、棚の上、網戸やプレフィルタ、部屋の隅などを掃除する場合は、第１の吸口体２０を前方に摺動する（突出させる）ことで、第１の吸口体２０の第１の開口２１ｓを第２の吸口体３０よりも前方に飛び出させて、塵埃を吸引することができる。
【００８４】
第１実施形態によれば、電気掃除機１００（掃除機本体）または延長ホース６０（延長管）の他端側に接続可能な吸込具１Ａにおいて、場面や用途に応じた吸込具を付け替える必要がなく、使い勝手の良い吸込具を実現できる。
【００８５】
以上説明したように、第１実施形態の吸込具１Ａは、第１の開口２１ｓを有する第１の吸口体２０と、第２の開口３１ｓを有する第２の吸口体３０と、を有し、第２の吸口体３０は、第１の吸口体２０を収納し、第２の開口３１ｓに刷毛体３３を備え、第１の吸口体２０は、第１の開口２１ｓが刷毛体３３の先端３３ａよりも先になる第１の位置と、第１の開口２１ｓが刷毛体３３の先端３３ｓよりも後になる第２の位置との間で、第２の吸口体３０に対して摺動可能である。第１実施形態によれば、吸込具１Ａは、第２の吸口体３０から第１の吸口体２０を突出させることで、広い場所と狭い場所とを分けて清掃することができ、場面や用途に応じて吸込具を付け替えることが不要になり、使い勝手を向上できる。
【００８６】
また、第１実施形態では、第２の位置において、第１の開口２１ｓが刷毛体３３の先端３３ａよりも後側かつ第２の開口３１ｓよりも前側に位置している。これにより、吸込具１Ａは、第２の位置において第１の開口２１ｓが刷毛体３３の先端３３ａよりも後側に位置することで、掃きながら吸うという効果を発揮できる。また、吸込具１Ａは、第２の位置において第１の開口２１ｓが第２の開口３１ｓよりも前側に位置することで、第１の吸口体２０と第２の吸口体３０との隙間が拡大して、気密が損なわれるのを抑えることができる。
【００８７】
また、第１実施形態では、第１の吸口体２０は、第２の吸口体３０の外側に、当該第１の吸口体２０の移動に伴って動作する操作ボタン４３を備える。これにより、吸込具１Ａは、操作ボタン４３の動作とともに第１の吸口体２０を動作させることで、第１の吸口体２０の先端ｔ１を指でつまんで引き出したり、押し込んだりするといった操作が不要になり、使い勝手を向上できる。
【００８８】
また、第１実施形態では、第１の吸口体２０を第１の位置でロックするロック機構１１０を備える。これにより、第１の位置で掃除中、第１の吸口体２０が勝手に引っ込んだりする不都合を防止できる。
【００８９】
また、第１実施形態では、第１の吸口体２０を２の位置から第１の位置に付勢するコイルバネ５１を備える。これにより、第１の吸口体２０をワンタッチで第１の位置に切り替えることができ、迅速に清掃を行うことができる。
【００９０】
また、第１実施形態では、第１の吸口体２０が第２の位置になったときに、第１の開口２１ｓと第２の開口３１ｓとの間に形成された隙間Ｓ１を閉じるキャップ部材２２を備える。これにより、清掃中に隙間Ｓ１から塵埃が取り込まれるのを防止できる。
【００９１】
また、第１実施形態では、第２の吸口体３０は、第１の吸口体２０が第１の位置と第２の位置との間で移動するときに当該第１の吸口体２０と摺動するリブ３１ｈを備える。このようにリブ３１ｈを形成することで、第１の吸口体２０と第２の吸口体３０との摺動面積を減らすことができ、第１の吸口体２０を第２の吸口体３０に対して円滑に動作させることが可能になる。また、第１の吸口体２０と第２の吸口体３０とを面せ摺動させる場合よりも、摺動面にゴミが溜り難くなる。
【００９２】
（第２実施形態）
図１６は、第２実施形態の吸込具の分解斜視図である。なお、第２実施形態の吸込具１Ｂは、第１実施形態の吸込具１Ａを簡略した構造を有するものである。
【００９３】
図１６に示すように、吸込具１Ｂは、先端側に第１の開口６０２ａを有する第１の吸口体６０２と、先端側に第２の開口６０３ｂを有する第２の吸口体６０３と、を有している。
【００９４】
第１の吸口体６０２の上部には、軸穴６０２ｃを有する突起リブ６０２ｂが左右対称に２ヶ所形成されている。また、第１の吸口体６０２の上部には、突起リブ６０２ｂの前方に、矩形状の嵌合穴６０２ｄが形成されている。
【００９５】
第２の吸口体６０３は、略円筒状に形成され、第１の吸口体６０２を内包（収納）している。第２の開口６０３ｂの先端面には、刷毛体６０３ａが形成されている。また、第２の吸口体６０３の上面には、軸方向に細長い環状の壁部６０３ｓが形成されている。
【００９６】
第１の吸口体６０２には、ロックボタン６０４（操作部）が取り付けられる。このロックボタン６０４は、前記した突起リブ６０２ｂの軸穴６０２ｃに挿入される軸６０４ａが形成されている。これにより、ロックボタン６０４は、軸６０４ａを支点として第１の吸口体６０２にシーソー支持される。ロックボタン６０４の後端部付近と第１の吸口体６０２との間には、ロックバネ６０５が配置されている。また、ロックボタン６０４は、前端部に固定爪６０４ｃを有している。
【００９７】
なお、第１実施形態と同様に、第１の吸口体６０２の先端に軟質材からなるカバー部材を取り付けてもよい。これにより、第１の吸口体６０２が塵埃を吸い込む際、対象床面等の傷つきを防止することができる。
【００９８】
図１７は、第２実施形態の吸込具を示し、（ａ）は斜視図、（ｂ）は平面図、（ｃ）は側面図である。なお、図１７は、図１６の吸込具１Ｂを組み立てた状態である。
図１７（ａ）に示すように、吸込具１Ｂは、壁部６０３ｓ内にロックボタン６０４が収容される。また、第１の吸口体６０２の先端は、刷毛体６０３ａの先端よりも後側に位置している。また、第１の吸口体６０２の先端は、第２の吸口体６０３の第２の開口６０３ｂ（図１６参照）よりも前側に位置している。
【００９９】
図１７（ｂ）に示すように、壁部６０３ｓ内には、一対の長孔レール６０３ｃが形成されている。長孔レール６０３ｃは、前後方向に延びている。この長孔レール６０３ｃには、突起リブ６０２ｂ（図１６参照）が内側から突き出すように挿入される。第２の吸口体６０３の上部から突き出た突起リブ６０２ｂの軸穴６０２ｃ（図１６参照）にロックボタン６０４の軸６０４ａ（図１６参照）を挿入することで、ロックボタン６０４と第１の吸口体６０２とが一体構造となる。
【０１００】
また、壁部６０３ｓ内には、長孔レール６０３ｃよりも前方に固定穴６０３ｅが形成されている。この固定穴６０３ｅにロックボタン６０４の固定爪６０４ｃ（図１６参照）が挿入されることで、ロックボタン６０４の動作が規制される。
【０１０１】
このように構成することで、ロックボタン６０４を長孔レール６０３ｃに沿って前後方向に摺動する動作に対して、第１の吸口体６０２も前後方向に摺動する。
【０１０２】
図１７（ｃ）に示すように、第１の吸口体６０２は、第１の開口６０２ａ（図１７（ａ）参照）が刷毛体６０３ａの先端よりも後になる第２の位置に設定される。また、第２の位置において、第１の開口６０２ａ（図１７（ａ）参照）が、第２の吸口体６０３の第２の開口６０３ｂ（図１７（ａ）参照）より前側に位置している。
【０１０３】
図１８（ａ）は図１７（ｂ）のＥ−Ｅ線断面図、（ｂ）は図１７（ｃ）のＦ−Ｆ線断面図である。
図１８（ａ）に示すように、ロックボタン６０４は、後方にロックバネ６０５の受け座６０４ｂを有している。また、ロックボタン６０４は、前方に摺動動作を固定する固定爪６０４ｃが一体で形成されている。
【０１０４】
吸込具１Ｂは、第１の吸口体６０２の摺動量が最小となる場合（第２の位置）、ロックボタン６０４の固定爪６０４ｃが、第２の吸口体６０３の上部に開口する固定穴６０３ｄに嵌合することで固定される。また、第１の吸口体６０２を前方へ摺動する場合は、ロックボタン６０４をロックバネ６０５の付勢力を受けながら押し下げられることで固定爪６０４ｃが固定穴６０３ｄから外れて、長孔レール６０３ｃに沿いながら前方に摺動する。
【０１０５】
また、第１の吸口体６０２の摺動量を最大となる場合（第１の位置）、ロックボタン６０４の固定爪６０４ｃが、第２の吸口体６０３の上部に開口する固定穴６０３ｅに嵌合することで固定される。
【０１０６】
なお、第２実施形態では、突起リブ６０２ｂ、軸穴６０２ｃ、嵌合穴６０２ｄ、長孔レール６０３ｃ、ロックボタン６０４、ロックバネ６０５、固定穴６０３ｅによってロック機構が構成されている。
【０１０７】
図１８（ｂ）に示すように、第２の吸口体６０３の内側には、第１の吸口体６０２を保持する遮蔽板６０３ｆが形成されている。この遮蔽板６０３ｆの略中央には、第１の吸口体６０２の外形形状をオフセットした開口穴６０３ｇが形成され、第１の吸口体６０２が挿入されている。
【０１０８】
この構成において、第１の吸口体６０２の摺動量を最小（第２の位置）から最大（第１の位置）に変化させた場合でも、第１の吸口体６０２と遮蔽板６０３ｆが略気密に保持することが可能となり、第１の吸口体６０２の第１の開口６０２ａ（図１８（ａ）参照）から塵埃を吸引するための吸引力を確保することができる。
【０１０９】
このように構成された吸込具１Ｂにおいて、通常のハンディ形態による掃除では、第１の吸口体６０２を第２の吸口体６０３に完全に内包する状態（摺動量が最小、第２の位置）として、第２の吸口体６０３の先端側の刷毛体６０３ａと第２の開口６０３ｂから塵埃を吸引して、机やイス、階段上などの掃除をする。なお、刷毛体６０３ａや第２の開口６０３ｂに吸引された塵埃は、第１の吸口体６０２の第１の開口６０２ａから吸引される。
【０１１０】
一方、家具やソファ下などの狭いすき間、サッシの溝、棚の上、網戸やプレフィルタ、部屋の隅などを掃除する場合は、第１の吸口体６０２を前方に摺動することで、第１の吸口体６０２の第１の開口６０２ａを第２の吸口体６０３よりも前方に飛び出させて、塵埃を吸引することができる。
【０１１１】
第２実施形態によれば、電気掃除機１００（掃除機本体）または延長ホース（延長管）の他端側に接続可能な吸込具１Ｂにおいて、場面や用途に応じた吸込具形状を付け替える必要がなく、使い勝手の良い吸込具を実現できる。なお、吸込具１Ｂは、充電台７０（図１（ａ）参照）に形成された突起部Ｐに直立した状態で取り付けて、保管しておくことができる。
【０１１２】
以上説明したように、第２実施形態の吸込具１Ｂは、第１の開口６０２ａを有する第１の吸口体６０２と、第２の開口６０３ｂを有する第２の吸口体６０３と、を有する。第２の吸口体６０３は、第１の吸口体６０２を収納し、第２の開口６０３ｂに刷毛体６０３ａを備えている。第１の吸口体６０２は、第１の開口６０２ａが刷毛体６０３ａの先端よりも先になる第１の位置（摺動量が最大）と、第１の開口６０２ａが刷毛体６０３ａの先端よりも後になる第２の位置（摺動量が最小）との間で、第２の吸口体６０３に対して摺動可能である。これによれば、第２の吸口体６０３に対して第１の吸口体６０２の位置を切り替えることで、広い場所と狭い場所とを分けて清掃することができ、場面や用途に応じた吸込具を付け替えることが不要になり、使い勝手を向上できる。
【０１１３】
また、第２実施形態では、第２の位置において、第１の開口６０２ａが刷毛体６０３ａの先端よりも後側かつ第２の開口６０３ｂよりも前側に位置している。これにより、第２の位置において第１の開口６０２ａが刷毛体６０３ａの先端よりも後側に位置することで、掃きながら吸うという効果を発揮できる。また、第２の位置において第１の開口６０２ａが第２の開口６０３ｂよりも前側に位置することで、第１の吸口体６０２と第２の吸口体６０３との隙間が拡大して、気密が損なわれるのを抑えることができる。
【０１１４】
また、第２実施形態では、第１の吸口体６０２は、第２の吸口体６０３の外側に、当該第１の吸口体６０２の移動に伴って動作するロックボタン６０４を備える。これにより、ロックボタン６０４の動作とともに第１の吸口体６０２を動作させることで、第１の吸口体６０２の先端を指でつまんで引き出したり、押し込んだりするといった操作が不要になり、使い勝手を向上できる。
【０１１５】
また、第２実施形態では、第１の吸口体６０２を第１の位置でロックするロック機構を備える。これにより、第１の位置で掃除中、第１の吸口体６０２が勝手に引っ込んだりする不都合を防止できる。
【０１１６】
なお、本発明は、前記した実施形態に限定されるものではなく、様々な変形例が含まれるものである。例えば、本実施形態では、ハンディタイプ（スティックタイプ）の電気掃除機１００に適用した場合を例に挙げて説明したが、キャニスタタイプの電気掃除機に適用することもできる。
【符号の説明】
【０１１７】
１Ａ，１Ｂ  吸込具
２０    第１の吸口体
２１ａ  前側管部
２１ｂ  後側管部
２１ｂ１  上面
２１ｂ２  下面
２１ｃ１  凹部
２１ｓ  第１の開口
２２    キャップ部材
３０    第２の吸口体
３１ａ  前側管部
３１ｂ  後側管部
３１ｈ  リブ
３１ｓ  第２の開口
３３    刷毛体（刷毛）
３３ａ  先端（刷毛の先端）
４１    スライダ
４２    連結部材
４３    操作ボタン（操作部）
４４    コイルバネ
５１    コイルバネ（付勢部材）
６０  延長ホース（延長管）
１００  電気掃除機
１１０  ロック機構
３００  延長管
４００  標準吸口
６０２  第１の吸口体
６０２ａ  第１の開口
６０３  第２の吸口体
６０３ａ  刷毛体
６０３ｂ  第２の開口
６０４  ロックボタン（操作部）
ｔ１    先端（第１の吸口体の先端）
【図１】
2018164486.tif 000003
【図２】
2018164486.tif 000004
【図３】
2018164486.tif 000005
【図４】
2018164486.tif 000006
【図５】
2018164486.tif 000007
【図６】
2018164486.tif 000008
【図７】
2018164486.tif 000009
【図８】
2018164486.tif 000010
【図９】
2018164486.tif 000011
【図１０】
2018164486.tif 000012
【図１１】
2018164486.tif 000013
【図１２】
2018164486.tif 000014
【図１３】
2018164486.tif 000015
【図１４】
2018164486.tif 000016
【図１５】
2018164486.tif 000017
【図１６】
2018164486.tif 000018
【図１７】
2018164486.tif 000019
【図１８】
2018164486.tif 000020